(57)【特許請求の範囲】
【請求項１】
ゴム芯を組紐で被覆してなる伸縮自在な長尺のゴム芯入り組紐を所定の切断長に切断し、該切断されたゴム芯入り組紐の切断両端同士を接合してリング状に形成するゴム芯入り組紐リングの製造方法であって、該製造方法は、
切断前の長尺のゴム芯入り組紐を巻胴に螺旋状に巻回する巻回工程と、
該巻胴に巻回されたゴム芯入り組紐の切断位置部分に水溶性接着剤を含浸させる水溶性接着剤含浸工程と、
巻胴にゴム芯入り組紐を巻回したままの状態で含浸させた水溶性接着剤を乾燥して硬化させる乾燥工程と、
巻胴にゴム芯入り組紐を巻回したままの状態で硬化した切断位置部位を切断する切断工程と、
切断されたゴム芯入り組紐の切断両端同士を不水溶性の接着剤で接合してゴム芯入り組紐リングを形成する接合工程と、
接合されたゴム芯入り組紐リングを水洗して該ゴム芯入り組紐リングから硬化した水溶性接着剤を除去する水洗工程とを順次行うことを特徴とするゴム芯入り組紐リングの製造方法。
【請求項２】
請求項１において、巻回工程、水溶性接着剤含浸工程、乾燥工程、切断工程は、長尺のゴム芯入り組紐が螺旋状に巻回される巻胴と、該巻胴に形成され、巻胴の軸方向と平行なスリットとを備えたゴム芯入り組紐リング製造用装置を用いて行うとともに、巻胴に巻回されたゴム芯入り組紐のスリット位置部分に水溶性接着剤を含浸させる構成であることを特徴とするゴム芯入り組紐リングの製造方法。
【請求項３】
ゴム芯を組紐で被覆してなる伸縮自在な長尺のゴム芯入り組紐を所定の切断長に切断し、該切断されたゴム芯入り組紐の切断両端同士を接合してリング状に形成するゴム芯入り組紐リングの切断前の長尺のゴム芯入り組紐の切断位置部分に水溶性接着剤を含浸させて該切断位置部分を硬化させるために用いるゴム芯入り組紐リング製造用装置ゴム芯入り組紐リング製造用装置において、該ゴム芯入り組紐リング製造装置を、
長尺のゴム芯入り組紐が螺旋状に巻回される巻胴と、
該巻胴に形成され、巻胴の軸方向と平行で、前記巻胴に巻回されたゴム芯入り組紐を内周側に押し込んで水溶性接着剤を該ゴム芯入り組紐に含浸させるため水溶性接着剤が収容される水溶性接着剤収容部と、
を備えて構成したことを特徴とするゴム芯入り組紐リング製造用装置。
【請求項４】
請求項３において、水溶性接着剤収容部は、巻胴の外周面に形成された凹溝状のスリットの内周側に配置されるものであり、巻胴に巻回されたゴム芯入り組紐のスリット位置部位を内周側に押し込んで水溶性接着剤収容部の水溶性接着剤に含浸させるための押し込み部材が備えられていることを特徴とするゴム芯入り組紐リング製造用装置。
【請求項５】
請求項３または４において、巻胴には、該巻胴へのゴム芯入り組紐の巻回をガイドするガイド部が形成されていることを特徴とするゴム芯入り組紐リング製造用装置。
【発明の詳細な説明】
【技術分野】
【０００１】
本発明は、ゴム芯を組紐で被覆してなる伸縮自在なゴム芯入り組紐をリング状に形成したゴム芯入り組紐リングの製造方法およびゴム芯入り組紐リング製造用装置の技術分野に関するものである。
【背景技術】
【０００２】
一般に、包装用のゴムリングや髪を結束するヘアゴムのなかには、ゴム芯を組紐で被覆した伸縮自在な長尺のゴム芯入り組紐を所定長に切断し、該切断したゴム芯入り組紐の切断両端同士を接着剤で接合してリング状に形成したゴム芯入り組紐リングがある。このようなゴム芯入り組紐リングを製造にするにあたり、長尺のゴム芯入り組紐を単に切断すると、切断した部位の組紐がほつれてしまい、該ほつれた部分の組紐の綺麗な接着ができず、外見が損なわれるうえ、時間経過に伴いほつれが進行してしまうという問題がある。
そこで従来、ゴム芯入り組紐を切断した際に組紐がほつれないようにするため、切断前に切断位置周辺を不溶性接着剤で接着してゴム芯と組紐とを一体化した後、切断するようにしたもの（例えば、特許文献１、２参照）や、切断前に切断位置周辺を加熱してゴム芯を溶融してゴム芯と組紐とを一体化した後、切断するようにしたもの（例えば、特許文献３参照）が知られている。ところがこれらのものは、切断位置周辺のゴム芯と組紐とが接着剤や溶融により一体化しているため、切断両端同士を接合してゴム芯入り組紐リングを形成したとき、何れのものも接合部周辺が長さを持った状態で硬くなり、この部分のゴム弾性が損なわれて違和感を生じるという問題があり、さらに後者のものではゴム芯が溶融により劣化促進されるとともに、溶融一体化した部分が細首状態になってしまうという問題もある。
これに対し、切断前に長尺のゴム芯入り組紐を水溶性接着剤に浸漬することによりゴム芯入り組紐を全長に亘って硬化させた後、切断し、その切断両端同士を接合してゴム芯入り組紐リングを形成し、しかる後にゴム芯入り組紐リングを水洗して水溶性接着剤を除去するようにしたもの（例えば、特許文献４参照）が知られている。このものでは、切断前にゴム芯入り組紐を硬化させるために用いられた水溶性接着剤は、ゴム芯入り組紐リングの形成後に水洗により除去されるため、前述した特許文献１〜３の有する問題を解消することができる。
【先行技術文献】
【特許文献】
【０００３】
【特許文献１】特許第２９３６０９１号公報
【特許文献２】特許第２９３６０９２号公報
【特許文献３】特許第４２３４７３２号公報
【特許文献４】特許第３０９１８３２号公報
【発明の概要】
【発明が解決しようとする課題】
【０００４】
しかしながら、特許文献４のものは、長尺のゴム芯入り組紐を全長に亘って接着剤水溶液に浸漬させた後、接着剤水溶液からゴム芯入り組紐を引き上げて乾燥する構成になっているが、この場合に、ゴム芯入り組紐同士の接触を避ける状態で乾燥させないと、接着状態が不均一になるうえ、ゴム芯入り組紐同士が互いに接着してしまうという不具合が生じる。そこで、特許文献４のものでは、接着剤を乾燥させる場合に、接着剤水溶液から一本吊り状態でゴム芯入り組紐を引き上げた後に乾燥筒内を通過させている。このため、乾燥に手間と時間がかかるうえ、乾燥させた接着剤は切断後に水洗して除去することになるが、全長に亘って含浸された接着剤を水洗するのにも相当の時間が必要であって、生産効率に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ゴム芯を組紐で被覆してなる伸縮自在な長尺のゴム芯入り組紐を所定の切断長に切断し、該切断されたゴム芯入り組紐の切断両端同士を接合してリング状に形成するゴム芯入り組紐リングの製造方法であって、該製造方法は、切断前の長尺のゴム芯入り組紐を巻胴に螺旋状に巻回する巻回工程と、該巻胴に巻回されたゴム芯入り組紐の切断位置部分に水溶性接着剤を含浸させる水溶性接着剤含浸工程と、巻胴にゴム芯入り組紐を巻回したままの状態で含浸させた水溶性接着剤を乾燥して硬化させる乾燥工程と、巻胴にゴム芯入り組紐を巻回したままの状態で硬化した切断位置部位を切断する切断工程と、切断されたゴム芯入り組紐の切断両端同士を不水溶性の接着剤で接合してゴム芯入り組紐リングを形成する接合工程と、接合されたゴム芯入り組紐リングを水洗して該ゴム芯入り組紐リングから硬化した水溶性接着剤を除去する水洗工程とを順次行うことを特徴とするゴム芯入り組紐リングの製造方法である。
請求項２の発明は、請求項１において、巻回工程、水溶性接着剤含浸工程、乾燥工程、切断工程は、長尺のゴム芯入り組紐が螺旋状に巻回される巻胴と、該巻胴に形成され、巻胴の軸方向と平行なスリットとを備えたゴム芯入り組紐リング製造用装置を用いて行うとともに、巻胴に巻回されたゴム芯入り組紐のスリット位置部分に水溶性接着剤を含浸させる構成であることを特徴とするゴム芯入り組紐リングの製造方法である。
請求項３の発明は、ゴム芯を組紐で被覆してなる伸縮自在な長尺のゴム芯入り組紐を所定の切断長に切断し、該切断されたゴム芯入り組紐の切断両端同士を接合してリング状に形成するゴム芯入り組紐リングの切断前の長尺のゴム芯入り組紐の切断位置部分に水溶性接着剤を含浸させて該切断位置部分を硬化させるために用いるゴム芯入り組紐リング製造用装置ゴム芯入り組紐リング製造用装置において、該ゴム芯入り組紐リング製造装置を、長尺のゴム芯入り組紐が螺旋状に巻回される巻胴と、該巻胴に形成され、巻胴の軸方向と平行で、前記巻胴に巻回されたゴム芯入り組紐を内周側に押し込んで水溶性接着剤を該ゴム芯入り組紐に含浸させるため水溶性接着剤が収容される水溶性接着剤収容部と、を備えて構成したことを特徴とするゴム芯入り組紐リング製造用装置である。
請求項４の発明は、請求項３において、水溶性接着剤収容部は、巻胴の外周面に形成された凹溝状のスリットの内周側に配置されるものであり、巻胴に巻回されたゴム芯入り組紐のスリット位置部位を内周側に押し込んで水溶性接着剤収容部の水溶性接着剤に含浸させるための押し込み部材が備えられていることを特徴とするゴム芯入り組紐リング製造用装置である。
請求項５の発明は、請求項３または４において、巻胴には、該巻胴へのゴム芯入り組紐の巻回をガイドするガイド部が形成されていることを特徴とするゴム芯入り組紐リング製造用装置である。
【発明の効果】
【０００６】
請求項１の発明とすることにより、切断時のほつれ防止のために用いた水溶性接着剤による硬化部分のない高品質のゴム芯入り組紐リングを製造できるとともに、水溶性接着剤を含浸させるのは切断位置部分だけであるため、水溶性接着剤の乾燥や水洗にかかる時間を大幅に短縮することができて、生産効率の向上に大きく貢献できる。しかも、水溶性接着剤含浸工程、乾燥工程、切断工程は、長尺のゴム芯入り組紐を巻胴に螺旋状に巻回した状態で行われることになり、よって、これら各工程を、コンパクトな作業空間で効率良く行うことができるうえ、これら各工程間でゴム芯入り組紐を移動させる必要がなく、手間や作業時間を短縮できる。
請求項２の発明とすることにより、水溶性接着剤含浸工程、乾燥工程、切断工程を、ゴム芯入り組紐リング製造用装置を用いて、コンパクトな作業空間で効率良く行うことができる。
請求項３の発明とすることにより、長尺のゴム芯入り組紐の切断位置部分に水溶性接着剤を含浸させて硬化させるにあたり、ゴム芯入り組紐リング製造用装置を用いることで、コンパクトな作業空間で効率良く行うことができる。
請求項４の発明とすることにより、巻胴に巻回されたゴム芯入り組紐のスリット位置部分への水溶性接着剤含浸作業が容易となる。
請求項５の発明とすることにより、ゴム芯入り組み紐の巻胴への巻回作業を容易に行うことができる。
【図面の簡単な説明】
【０００７】
【図１】（Ａ）はゴム芯入り組紐を示す図、（Ｂ）はゴム芯入り組紐リングを示す図である。
【図２】ゴム芯入り組紐リング製造用装置を示す斜視図である。
【図３】ゴム芯入り組紐リング製造用装置の断面図である。
【図４】（Ａ）は巻回工程を示す図、（Ｂ）は水溶性接着剤収容部に水溶性接着剤を流し込んでいる図である。
【図５】（Ａ）、（Ｂ）、（Ｃ）は水溶性接着剤含浸工程を示す図である。
【図６】（Ａ）は切断工程を示す図、（Ｂ）は接合工程を示す図である。
【図７】水洗工程を示す図である。
【発明を実施するための形態】
【０００８】
以下、本発明の実施の形態について、図面に基づいて説明する。図面において、１は伸縮自在な長尺のゴム芯入り組紐（以下、「ゴム芯入り組紐」を「ゴム紐」とも称する）であって、該ゴム紐１は、ゴム芯２と、該ゴム芯２を被覆する組紐３とから構成されている。そして、該長尺のゴム紐１を所定の切断長Ｌに切断し、該切断されたゴム紐１の切断両端１ａ、１ｂ同士を接合することによりゴム芯入り組紐リング（以下、「ゴム芯入り組紐リング」を「ゴム紐リング」とも称する）４が製造されるが、該製造されたゴム紐リング４は、例えば包装用のゴムリングや髪を結束するヘアリングとして用いることができる。
【０００９】
前記ゴム紐リング４を製造するには、切断前の長尺のゴム紐１を後述する巻胴８に螺旋状に巻回する巻回工程と、該巻胴８に巻回されたゴム紐１の切断位置Ｘ部分に水溶性接着剤５を含浸させる水溶性接着剤含浸工程と、巻胴８にゴム紐１を巻回したままの状態で含浸させた水溶性接着剤５を乾燥して硬化させる乾燥工程と、硬化した切断位置Ｘ部位を切断する切断工程と、切断されたゴム紐１の切断両端１ａ、１ｂ同士を不水溶性の接着剤６で接合してゴム紐リング４を形成する接合工程と、接合されたゴム紐リング４を水洗して水溶性接着剤５を除去する水洗工程とを順次行うが、前記巻回工程、水溶性接着剤含浸工程、乾燥工程および切断工程は、ゴム芯入り組紐リング製造用装置（以下、「ゴム芯入り組紐リング製造用装置」を「ゴム紐リング製造用装置」とも称する）７を用いて行う。
【００１０】
前記ゴム紐リング製造用装置７について、図２、図３に基づいて説明すると、８はゴム紐リング製造用装置７を構成する巻胴であって、該巻胴８の外周面部には、巻胴８の軸方向と平行なスリット９が形成されている。そして、後述するように巻胴８には切断前の長尺のゴム紐１が巻回されるとともに、該巻胴８に巻回されたゴム紐１はスリット９の幅方向中心位置で切断されるが、この場合に、巻胴８の外周寸法は、長尺のゴム紐１を切断する長さとして予め設定される切断長Ｌとなるように設計されており、而して、巻胴８に巻回されたゴム紐１をスリット９の幅方向中心位置で切断することで、長尺のゴム紐１を所定の切断長Ｌに切り揃えることができるようになっている。
【００１１】
さらに、巻胴８には、前記スリット９の幅方向両側縁部に、ゴム紐１を巻胴８に螺旋状に巻回するときにゴム紐１をガイドするガイド溝（本発明のガイド部に相当する）１０が所定間隔を存して複数形成されている。そして、長尺のゴム紐１を上記ガイド溝１０に係合させながら巻胴８に螺旋状に巻回していくことによって、ゴム紐を互いに接触しない状態で巻胴８に巻回することができるようになっている。
【００１２】
さらに、前記巻胴８には、スリット９の内周側に、凹溝状の水溶性接着剤収容部１１が形成されている。そして、該水溶性接着剤収容部１１に水溶性接着剤５を入れた状態で、巻胴８に巻回されたゴム紐１のスリット位置部分を、直方体形状の押し込み部材１２を用いて内周側に押し込むことによって、ゴム紐１の切断位置Ｘ部分に水溶性接着剤５を含浸させることができるように構成されている。
【００１３】
また、前記巻胴８の軸方向両端部には、四角形状のフランジ部（側板）１３が一体的に設けられている。そして、ゴム紐リング製造用装置７は、何れか一方のフランジ部１３を底面とすることで、巻胴８の軸芯方向が上下方向を向く状態で作業台面１４に設置でき、また、両方のフランジ部１３を脚部とすることで、巻胴８の軸方向が水平方向を向き、且つ、スリット９が上側となる状態で作業台面１４に設置できるようになっている。
【００１４】
次いで、前記ゴム紐リング４を製造する各工程について、図４〜図７に基づいて説明する。
まず、前述したゴム紐リング製造用装置７を用いて、長尺のゴム紐１をゴム紐リング製造用装置７の巻胴８に巻回する巻回工程、該巻胴８に巻回されたゴム紐１の切断位置Ｘ部分に水溶性接着剤５を含浸させる水溶性接着剤含浸工程、該含浸させた水溶性接着剤５を乾燥させる乾燥工程、ゴム紐１を切断する切断工程を順次行う。
【００１５】
前記巻回工程を行う場合には、まず、ゴム紐リング製造用装置７を、巻胴８の軸芯方向が上下方向を向く状態で作業台面１４に設置し、この状態で、長尺のゴム紐１を巻胴８に巻回する。この場合、前述したように、長尺のゴム紐１を巻胴８に形成されたガイド溝１０に係合させながら巻胴８に螺旋状に巻回していくことによって、ゴム紐１は互いに接触しない状態で巻胴８に巻回される（図４（Ａ）参照）。そして、該巻胴８に巻回されたゴム紐１は、スリット９の幅方向中心位置が後述する切断工程において切断される切断位置Ｘとなる。
【００１６】
次いで、水溶性接着剤含浸工程を行うが、該水溶性接着剤含浸工程を行う場合には、前記巻胴８にゴム紐１が巻回された状態のゴム紐リング製造用装置７を、巻胴８の軸芯方向が水平方向を向き、且つ、スリット９が上側となる状態で作業台面１４に設置する。次いで、スリット９の内周側に設けられた水溶性接着剤収容部１１に、水溶性接着剤５を流し込む（図４（Ｂ）参照）。しかる後、スリット位置部分のゴム紐１を押し込み部材１２を用いて下方に押し込んで、該スリット位置部分のゴム紐１に水溶性接着剤５を含浸させる（図５（Ａ）、（Ｂ）、（Ｃ）参照）。水溶性接着剤５を含浸させた後は、押し込み部材１２を上方に持ち上げると、ゴム紐１は該ゴム紐１の有する弾性により元位置に復帰する。このようにして、巻胴８に巻回されたゴム紐１のスリット位置部分、つまり切断位置Ｘ部分に水溶性接着剤５が含浸される。
【００１７】
次いで、乾燥工程を行うが、該乾燥工程は、前記水溶性接着剤含浸工程の終了後に、巻胴８にゴム紐１を巻回したままの状態で、該ゴム紐１に含浸させた水溶性接着剤５を乾燥させる。この場合、自然乾燥でも良いが、風や熱を与えることにより、より短時間で乾燥させることができる。そして、水溶性接着剤５が乾燥することにより、巻胴８に巻回されたゴム紐１のスリット位置部分、つまり切断位置Ｘ部分は、ゴム芯２と組紐３とが水溶性接着剤５により一体的に接着された硬化状態になる。
尚、前記水溶性接着剤５は、後述する水洗工程においてゴム紐リング４から除去されるものであるため、硬化後に水溶性を有している必要があり、このような水溶性接着剤５として通常知られているものを適宜採用することができるが、本実施の形態では、カルボキシメチルセルロースを主成分とする水溶性接着剤５を用いた。該カルボキシメチルセルロースを主成分とする水溶性接着剤５は、短時間で乾燥して硬化するとともに、硬化後の水洗で容易に除去することができる。
【００１８】
前記乾燥工程の終了後は、ゴム紐１を所定の切断長Ｌに切断する切断工程を行うが、該切断工程を行う場合には、まず、前記乾燥工程後に巻胴８に巻回されたままのゴム紐１を切断位置Ｘ、つまり、スリット９の幅方向中心位置で、ハサミ、カッター等の切断手段１５を用いて切断する（図６（Ａ）参照）。この場合、切断位置Ｘ部分は、前記水溶性接着剤含浸工程および乾燥工程によりゴム芯２と組紐３とが一体化された硬化状態となっているため、切断しても組紐３がほつれてしまう惧れがない。そして、前記切断位置Ｘで切断されたゴム紐１は、前述したように、予め設定された所定の切断長Ｌの長さに切り揃えられる。
【００１９】
前記切断工程の次には、所定の切断長Ｌに切断されたゴム紐１の切断両端１ａ、１ｂ同士を不水溶性の接着剤６で接合してゴム紐リング４を形成する接合工程を行うが、該接合工程は、切断両端１ａ、１ｂに不水溶性接着剤６を塗布した後、該切断両端１ａ、１ｂ同士を突き当てて接合する。該接合工程に用いられる不水溶性接着剤６は、硬化後に不水溶性であることが必要であり、このようなものとして通常知られた接着剤を適宜採用することができるが、例えばシアノアクリレート系接着剤、エポキシ系接着剤、ウレタン系接着剤等の接着剤を用いることができる。
【００２０】
前記接合工程の次には、前記不水溶性接着剤６で接合されたゴム紐リング４を水洗して水溶性接着剤５を除去する水洗工程を行うが、該水洗工程では、洗浄水が収容された水洗槽１６に多数のゴム紐リング４を投入した状態で、水洗槽１６内に洗浄水を流入、流出させてゴム紐リング４を水洗し、これによりゴム紐リング４に含浸された水溶性接着剤５を除去する。この場合に、水洗槽１６に図示しない攪拌手段、振動手段、加熱手段等を設けることにより、効率良く水溶性接着剤５を除去することができる。そして、該水洗工程により水溶性接着剤５が除去されることで、水溶性接着剤５により硬化されたゴム紐リング４の伸縮性が復帰するが、水溶性接着剤５は、前述したように切断位置Ｘ部分にのみ含浸しているため、短時間の水洗工程で水溶性接着剤５を除去することができる。
【００２１】
叙述の如く構成された実施の形態において、ゴム紐リング４を製造する場合には、長尺のゴム紐１をゴム紐リング製造用装置７の巻胴８に螺旋状に巻回する巻回工程と、巻胴８に巻回されたゴム紐１の切断位置Ｘ部分に水溶性接着剤５を含浸させる水溶性接着剤含浸工程と、巻胴８にゴム紐１を巻回したままの状態で含浸させた水溶性接着剤５を乾燥して硬化させる乾燥工程と、巻胴８にゴム紐１を巻回したままの状態で硬化した切断位置Ｘ部位を切断する切断工程と、切断両端１ａ、１ｂ同士を不水溶性接着剤６で接合してゴム紐リング４を形成する接合工程と、ゴム紐リング４を水洗して水溶性接着剤５を除去する水洗工程とを順次行うことになる。
この結果、前記巻回工程、水溶性接着剤含浸工程、乾燥工程、切断工程によって、長尺のゴム紐１は切断位置Ｘ部分を水溶性接着剤５で硬化させてから切断されることになり、これにより、切断時における組紐３のほつれを防止できる一方で、不水溶性接着剤６による接合工程の後に行う水洗工程によって上記水溶性接着剤５を除去することができ、これにより、水溶性接着剤５による硬化部分がない高品質のゴム紐リング４を製造できることになるが、この場合に、水溶性接着剤５を含浸させるのは切断位置Ｘ部分のみであるため、水溶性接着剤５を乾燥させる乾燥工程、および水溶性接着剤５を除去する水洗工程にかかる時間を大幅に短縮することができて、生産効率の向上に大きく貢献できる。
【００２２】
しかも、前記水溶性接着剤含浸工程、乾燥工程、切断工程は、長尺のゴム紐１を巻胴８に螺旋状に巻回した状態で行われることになり、而して、これら各工程を、コンパクトな作業空間で効率良く行うことができるうえ、これら各工程間でゴム紐１を移動させる必要がなく、手間や作業時間を短縮することができる。
【００２３】
さらに、前記水溶性接着剤含浸工程、乾燥工程、切断工程はゴム紐リング製造用装置７を用いて行うことになるが、該ゴム紐リング製造用装置７は、長尺のゴム紐１が螺旋状に巻回される巻胴８と、該巻胴８に形成され、巻胴８の軸方向と平行なスリット９とを備えている。而して、巻胴８に巻回されたゴム紐１のスリット位置部分を切断位置Ｘ部分とし、該スリット位置部分に水溶性接着剤５を含浸させる構成にすることにより、ゴム紐１の切断位置Ｘ部分に水溶性接着剤５を含浸する水溶性接着剤含浸工程と、ゴム紐１を切断位置Ｘで切断する切断工程とを、簡単に効率良く行うことができる。さらに、水溶性接着剤含浸工程と乾燥工程とのあいだに行われる乾燥工程も、巻胴８に螺旋状に巻回した状態で行うことで、ゴム紐１同士が互いに接触して接着してしまうような不具合を回避できるとともに、コンパクトな作業空間で効率よく行うことができる。
【００２４】
さらに、前記ゴム紐リング製造用装置７は、スリット９の内周側に配置され、水溶性接着剤５が収容される水溶性接着剤収容部１１と、巻胴８に巻回されたゴム紐１のスリット位置部位を内周側に押し込んで水溶性接着剤収容部１１の水溶性接着剤５に含浸させるための押し込み部材１２とを備えている。而して、押し込み部材１２を用いてゴム紐１のスリット位置部位を内周側に押し込むことによつて、該スリット位置部分への水溶性接着剤含浸作業を容易に行うことができる。
【００２５】
さらに、前記巻胴８には、該巻胴８へのゴム紐１の巻回をガイドするガイド溝１０が形成されている。而して、該ガイド溝１０に係合させながらゴム紐１を巻胴８に巻回することにより、長尺のゴム紐１を互いに接触しない整然とした状態で巻胴８に螺旋状に巻回することができる。
【００２６】
尚、本発明は上記実施の形態に限定されないことは勿論であって、例えば、上記実施の形態では、円筒形状の巻胴を用いたが、四角筒形状等の多角筒形状の巻胴であっても良い。また、上記実施の形態では、巻胴に形成されるスリットは一本であるが、二本以上のスリットが形成されていても良く、この場合には、周回り方向に隣接するスリットの幅方向中心位置間の距離が、ゴム紐の切断長となるように設定される。さらに、巻回工程や乾燥工程において、支持部材を用いて巻胴を回転自在に支持する構成にすることもでき、このようにすることにより巻回作業の容易化、乾燥作業の均一化、迅速化が図れる。さらにまた、上記実施の形態では、水溶性接着剤収容部は巻胴に一体形成されているが、水溶性接着剤収容部を巻胴とは別物として、巻胴に着脱自在に装着される構成にすることもできる。
【産業上の利用可能性】
【００２７】
本発明は、包装用のゴムリングや髪を結束するヘアゴムとして用いられるゴム芯入り組紐リングを製造する場合に利用することができる。
【符号の説明】
【００２８】
１  ゴム紐（ゴム芯入り組紐）
１ａ、１ｂ  切断両端
２  ゴム芯
３  組紐
４  ゴム紐リング（ゴム芯入り組紐リング）
５  水溶性接着剤
６  不水溶性接着剤
７  ゴム紐リング製造用装置（ゴム芯入り組紐リング製造用装置）
８  巻胴
９  スリット
１０  ガイド溝
１１  水溶性接着剤収容部
１２  押し込み部材
Ｌ  切断長
Ｘ  切断位置
【要約】
【課題】長尺のゴム芯入り組紐を切断し、その切断両端同士を接合してゴム芯入り組紐リングを製造するにあたり、切断時のほつれ防止にために用いた水溶性接着剤による硬化部分のない高品質のものを、効率よく製造する。
【解決手段】長尺のゴム紐１を巻胴８に螺旋状に巻回する巻回工程と、巻胴８に巻回されたゴム紐１の切断位置部分に水溶性接着剤５を含浸させる水溶性接着剤含浸工程と、巻胴８にゴム紐１を巻回したままで水溶性接着剤５を乾燥させる乾燥工程と、巻胴８にゴム紐１を巻回したままで硬化した切断位置部位を切断する切断工程と、切断両端同士を不水溶性接着剤６で接合してゴム芯入り組紐リング４を形成する接合工程と、ゴム芯入り組紐リング４を水洗して水溶性接着剤５を除去する水洗工程とを順次行って、ゴム芯入り組紐リング４を製造する。
【選択図】図５【図２】
0005946164.tif 000002
【図３】
0005946164.tif 000003
【図４】
0005946164.tif 000004
【図５】
0005946164.tif 000005
【図７】
0005946164.tif 000006
【図１】
0005946164.tif 000007
【図６】
0005946164.tif 000008